(57)【要約】    【課題】  高い光学性能を維持しながら、小型化を行うことができるレンズ鏡筒を提供する。    【解決手段】  移動カム環３には、カム溝３ｄ，３ｅが設けられ、カム溝３ｅは、カム溝３ｅは、移動カム環３に形成される実体カム溝と、該実体カム溝から連続的に移動カム環３の外部の位置まで仮想的に延びる仮想カム溝とを含むものである。この仮想カム溝を含むカム溝３ｅが描く軌跡は、カム溝３ｄが描く軌跡と同じである。２群鏡筒３７には、移動カム環３のカム溝３ｄおよびカム溝３ｅにそれぞれ係合する可動カムフォロア８ａ，８ｂが設けられ、可動カムフォロア８ａ，８ｂは、それぞれ、圧縮バネ９により、カム溝３ｄ，溝３ｅに向けて付勢されている。移動カム環３が回動すると、２群鏡筒３７はカム溝３ｄ，３ｅに沿って光軸方向へ繰出される。【選択図】      図２
2006178304.tif 000002
【特許請求の範囲】
【請求項１】
光軸周りに回転可能なカム環と、該カム環の光軸周りの回転に連動して光軸方向へ進退可能なレンズ保持体とを備えるレンズ鏡筒であって、
前記カム環の内面には、前記レンズ保持体を光軸方向へ進退させるための複数のカム溝が形成され、前記複数のカム溝のうち、少なくとも１つのカム溝は、前記カム環に形成される実体カム溝と、該実体カム溝から連続的に前記カム環の外部の位置まで仮想的に延びる仮想カム溝とを含み、
前記レンズ保持体には、前記複数のカム溝とそれぞれ係合する複数のカムフォロアが設けられ、前記複数のカムフォロアは、前記仮想カム溝を含むカム溝に係合可能な少なくとも１つの可動カムフォロアを含み、該可動カムフォロアは、付勢部材により、前記仮想カム溝を含むカム溝に向けて付勢されることを特徴とするレンズ鏡筒。
【請求項２】
光軸周りに回転可能なカム環と、該カム環の光軸周りの回転に連動して光軸方向へ進退可能なレンズ保持体とを備えるレンズ鏡筒であって、
前記カム環の内面には、前記レンズ保持体を光軸方向へ進退させるための複数のカム溝が形成され、前記複数のカム溝のうち、少なくとも１つのカム溝は、前記カム環に形成される実体カム溝と、該実体カム溝から連続的に前記カム環の外部の位置まで仮想的に延びる仮想カム溝とを含み、
前記レンズ保持体には、前記複数のカム溝とそれぞれ係合する複数のカムフォロアが設けられ、前記複数のカムフォロアは、前記仮想カム溝を含むカム溝に係合可能な少なくとも１つの第１の可動カムフォロアと、他のカム溝に係合可能な第２の可動カムフォロアとを含み、前記第１の可動カムフォロアと前記第２の可動カムフォロアとは、同一の付勢部材により、それぞれ対応するカム溝に向けて附勢されていることを特徴とするレンズ鏡筒。
【請求項３】
前記仮想カム溝を含むカム溝における前記実体カム溝の前記仮想カム溝との連結近傍位置の溝深さは、他のカム溝の溝深さより深いことを特徴とする請求項１または２記載のレンズ鏡筒。
【請求項４】
前記可動カムフォロアの先端部形状がテーパ形状であることを特徴とする請求項１記載のレンズ鏡筒。
【請求項５】
前記可動カムフォロアの先端部形状が球面形状であることを特徴とする請求項１記載のレンズ鏡筒。
【請求項６】
前記第１および第２の可動カムフォロアの先端部形状がテーパ形状であることを特徴とする請求項２記載のレンズ鏡筒。
【請求項７】
前記第１および第２の可動カムフォロアの先端部形状が球面形状であることを特徴とする請求項２記載のレンズ鏡筒。
【請求項８】
請求項１または２記載のレンズ鏡筒を備えることを特徴とする光学装置。
【発明の詳細な説明】
【技術分野】
【０００１】
本発明は、カム環の光軸周りの回転に連動してレンズ保持体が光軸方向へ進退するレンズ鏡筒およびそれを備える光学装置に関する。
【背景技術】
【０００２】
従来、光軸方向へのレンズ移動を行うことによって変倍動作および合焦動作を行うカメラの鏡筒として、レンズ移動をカム駆動により行うものがある。また、移動するレンズ鏡筒の距離を犠牲にすることなく、カム環の光軸方向の長さを短くするために、鏡筒に設けられたカムフォロアがカム環に設けられたカム溝を乗り換える鏡筒が提案されている（例えば特許文献１を参照）。この場合、カム溝を乗り換えるタイミングにおいてレンズ移動を円滑に行うために、カムフォロアとそれに係合されるカム溝とは、それぞれの係合状態において、ある程度の遊びを有するように構成されている。この遊びがあるために、カム溝が設けられた鏡筒とカム環との光軸がずれるすなわち偏心する恐れがある。
【０００３】
ここで、例えば図１０に示す、移動カム環３の回動により２群鏡筒３７が光軸方向へ進退する構成を考える。この構成の場合、各カム溝３ｄ，３ｅはともに異なる位置で同じ軌跡を描くように形成されたカム溝であるが、カム溝３ｅは、移動カム環３の後端部においてそのカム溝が形成されていないものである。すなわち、カム溝３ｅは、移動カム環３に形成することができない位置に、仮想的にカム溝が設けられているとするものである。２群鏡筒３７の外周部には、先端にテーパ部を有する２つの固定フォロア部３７ａ，３７ｂが設けられており、各固定フォロア部３７ａ，３７ｂは、それぞれ、カム溝３ｄ，３ｅに係合される。ここで、２群鏡筒３７が光軸方向へ移動して所定の位置に到達すると、２群鏡筒３７は、カム溝３ｅから離脱して仮想カム溝へ進入しまたは逆に仮想カム溝からカム溝３ｅへ進入する。
【０００４】
しかしながら、各固定フォロア部３７ａ，３７ｂとカム溝３ｄ，３ｅとの間には、遊びがあるから、２群鏡筒３７が移動カム環３に対して偏心することがあり、所定の光学性能を保持することができない場合がある。
【特許文献１】特開２００４‐０８５９３２号公報
【発明の開示】
【発明が解決しようとする課題】
【０００５】
上述した機構を有する場合、光学性能に悪影響を及ぼさないようにするために、レンズ群間の平行敏感度が低くなるような光学設計を行う必要がある。しかしながら、この光学設計を実現するためには、構成するレンズの枚数が増し、それにより、鏡筒の全長が長く、そのサイズが大きくなる傾向があり、これは、昨今の低コスト化、小型化、軽量化という点においては、不利である。
【０００６】
そこで、鏡筒の全長を短くするために、レンズ枚数を少なくすることが考えられるが、この場合は、レンズ群同士の同軸度が高い光学設計が要求され、カム溝とカムフォロアとの係合時の遊びを少なく抑えた鏡筒を設計する必要がある。しかしながら、カム溝とカムフォロアとの係合時の遊びを少なく抑えると、カムフォロアがカム溝から離脱しまたは再びカム溝に乗り移るときに引っ掛かりが起こる場合があり、その際には、地板が微小ながら振動し、この振動が結像面に伝播する。これにより、電子スチルカメラにおいて電子ビューファインダを利用している場合、撮影画面が揺れる、いわゆる像揺れ現象が起こる。また、最悪の場合は、カムフォロアがカム溝に引っ掛った状態のままになり、ひいては鏡筒が動作しない恐れがある。カム溝とカムフォロアとの係合時の遊びを少なく抑えることは、高い光学性能を得る際の制約事項になる。
【０００７】
本発明の目的は、高い光学性能を維持しながら、小型化を行うことができるレンズ鏡筒および光学装置を提供することにある。
【課題を解決するための手段】
【０００８】
本発明は、上記目的を達成するため、光軸周りに回転可能なカム環と、該カム環の光軸周りの回転に連動して光軸方向へ進退可能なレンズ保持体とを備えるレンズ鏡筒であって、前記カム環の内面には、前記レンズ保持体を光軸方向へ進退させるための複数のカム溝が形成され、前記複数のカム溝のうち、少なくとも１つのカム溝は、前記カム環に形成される実体カム溝と、該実体カム溝から連続的に前記カム環の外部の位置まで仮想的に延びる仮想カム溝とを含み、前記レンズ保持体には、前記複数のカム溝とそれぞれ係合する複数のカムフォロアが設けられ、前記複数のカムフォロアは、前記仮想カム溝を含むカム溝に係合可能な少なくとも１つの可動カムフォロアを含み、該可動カムフォロアは、付勢部材により、前記仮想カム溝を含むカム溝に向けて付勢されることを特徴とするレンズ鏡筒を提供する。
【０００９】
本発明は、上記目的を達成するため、光軸周りに回転可能なカム環と、該カム環の光軸周りの回転に連動して光軸方向へ進退可能なレンズ保持体とを備えるレンズ鏡筒であって、前記カム環の内面には、前記レンズ保持体を光軸方向へ進退させるための複数のカム溝が形成され、前記複数のカム溝のうち、少なくとも１つのカム溝は、前記カム環に形成される実体カム溝と、該実体カム溝から連続的に前記カム環の外部の位置まで仮想的に延びる仮想カム溝とを含み、前記レンズ保持体には、前記複数のカム溝とそれぞれ係合する複数のカムフォロアが設けられ、前記複数のカムフォロアは、前記仮想カム溝を含むカム溝に係合可能な少なくとも１つの第１の可動カムフォロアと、他のカム溝に係合可能な第２の可動カムフォロアとを含み、前記第１の可動カムフォロアと前記第２の可動カムフォロアとは、同一の付勢部材により、それぞれ対応するカム溝に向けて附勢されていることを特徴とするレンズ鏡筒を提供する。
【００１０】
また、本発明は、上記目的を達成するため、上記レンズ鏡筒を備えることを特徴とする光学装置を提供する。
【発明の効果】
【００１１】
本発明によれば、高い光学性能を維持しながら、小型化を行うことができる。
【発明を実施するための最良の形態】
【００１２】
以下、本発明の実施の形態について図面を参照しながら説明する。
【００１３】
（第１の実施の形態）
図１は本発明の第１の実施の形態に係るレンズ鏡筒の分解斜視図である。図２は図１のレンズ鏡筒のカム構成を円周方向に展開して示す図であり、図２（ａ）は沈胴時、図２（ｂ）はワイド撮影時、図２（ｃ）はテレ撮影時のそれぞれを示す展開図である。図３（ａ）は可動カムフォロア８ｂが移動カム環３のカム溝３ｅに乗り移る直前の状態を示す図、図３（ｂ）は図３（ａ）の断面Ａ−Ａに沿って得られた断面図である。図４（ａ）は可動カムフォロア８ａが移動カム環３のカム溝３ｄと係合し、可動カムフォロア８ｂと移動カム環３のカム溝３ｅとの係合が解除されている状態を示す断面図、図４（ｂ）は可動カムフォロア８ａが移動カム環３のカム溝３ｄと、可動カムフォロア８ｂがカム溝３ｅとそれぞれ係合している状態を示す断面図である。図５は図１のレンズ鏡筒における移動カム環とそれの駆動機構を示す図である。図６は図５のウォームギア２７に設けられているズームモータの回転数および回転方向を検知するための機構を示す図である。図７は図６のフォトインタラプタのそれぞれから出力される信号波形を示す図である。図８は図４に示す可動カムフォロアに代わる可動カムフォロアを示す断面図である。
【００１４】
レンズ鏡筒は、図１に示すように、該レンズ鏡筒の基部であるベース１と、ベース１の前端部にネジ止めにより固定される固定筒２とを備える。固定筒２には、１群鏡筒６と、２群鏡筒３７とが内蔵される。また、固定筒２の内面には、カム溝２ａおよび溝２ｃが設けられている。
【００１５】
１群鏡筒６は、第１レンズ群３８を保持する。１群鏡筒６の外周面には、先端にテーパ部を有する３本のフォロアピン７がそれぞれ等間隔に圧入されており、１群鏡筒６の前面には、非撮影時に第１レンズ群３８の前面部を保護するためのバリアユニット３６が固着されている。２群鏡筒３７は、第２レンズ群３９を保持する。２群鏡筒３７の外周部には、先端にテーパ部を有する２つの固定フォロア部３７ａ，３７ｂ、および圧縮バネ９により付勢された２つの可動カムフォロア８ａ，８ｂが等間隔に配置されている。また、可動カムフォロア８ａ，８ｂは、テーパ状に形成された先端部を有する。また、２群鏡筒３７には、絞り羽根（図示せず）およびシャッタ羽根を駆動する機構（図示せず）が設けられている。
【００１６】
固定筒２のカム溝２ａには、移動カム環３に圧入されている金属製のフォロアピン５が係合する（図２（ａ））。移動カム環３は、フォロアピン５がカム溝２ａに係合することによって、カム溝２ａに沿って回動しながら光軸方向に繰り出される。移動カム環３の外周面には、ギア歯３ａが形成されている。ギア歯３ａには、図５に示すように、ズームモータ２５の駆動力が、ギア２２およびギア２７〜３１を介して伝達され、移動カム環３は回転駆動される。ここで、ウォームギア２７には、図６に示すように、ズームモータ２５の回転を検知するための３枚の羽根２７ａが設けられており、各羽根２７ａがスリット部を遮断する位置にフォトインタラプタ３４，３５が配置されている。各フォトインタラプタ３４，３５は、図８に示すような信号波形を有する信号を出力する。各フォトインタラプタ３４，３５の出力信号から、ズームモータ２５の回転方向（ＣＣＷおよびＣＷ方向）および回転数が検知され、それぞれの出力信号に基づいて撮影光学系の焦点距離の制御、鏡筒の移動の制御などが行われる。
【００１７】
移動カム環３の内部には、直進ガイド筒４が回転自由に嵌められている。直進ガイド筒４には突起４ｅが設けられており、突起４ｅは、固定筒２に設けられた溝２ｃに嵌められ、直進ガイド筒４が固定筒２に対して相対的に回転しないように規制する。また、直進ガイド筒４の前面部には３つの突起４ｆが設けられており、各突起４ｆは、移動カム環３の内面に設けられた溝３ｇに嵌められている。このため、直進ガイド筒４は、移動カム環３に対して相対的に回転可能であるとともに、移動カム環３と一体に光軸方向へ移動する。１群鏡筒６に設けられた金属製のフォロアピン７は、移動カム環３のカム溝３ｂに係合し、直進ガイド筒４の直動溝４ａには、１群鏡筒６に設けられた直動ピン６ａが係合する。この直動溝４ａにより、回転方向に1群鏡筒６が移動することが制限され、移動カム環３が回動すると、１群鏡筒６は光軸方向に繰り出される。
【００１８】
また、同様に、２群鏡筒３７に設けられている各固定フォロア部３７ａ，３７ｂおよび各可動カムフォロア８ａ，８ｂは、移動カム環３のカム溝３ｄおよびカム溝３ｅと直進ガイド筒４の直動溝４ｂに係合する。直動溝４ｂにより、２群鏡筒３７の移動が光軸方向のみに規制されているため、移動カム環３が回動すると、２群鏡筒３７はカム溝３ｄ，３ｅに沿って光軸方向へ繰り出される。
【００１９】
ここで、カム溝３ｄは、移動カム環３の先端部に設けられた溝３ｇのために、その一部が形成されていないものである。また、カム溝３ｅは、移動カム環３の後端部においてそのカム溝が形成されていないものである。すなわち、カム溝３ｅは、移動カム環３に形成される実体カム溝と、該実体カム溝から連続的に移動カム環３の外部の位置まで仮想的に延びる仮想カム溝とを含むものであり、この仮想カム溝を含むカム溝３ｅが描く軌跡は、カム溝３ｄが描く軌跡と同じである。
【００２０】
現在、レンズ鏡筒を含むシステムの電源が「切断」状態にあり、レンズ鏡筒が沈胴状態にあると仮定する。このとき、図２（ａ）に示すように、一方の可動カムフォロア８ｂはカム溝３ｅから離脱した状態にあり、他方の可動カムフォロア８ａは、カム溝３ｄと係合する状態にある。但し、可動カムフォロア８ｂは、カム溝３ｅとその仮想カム溝とにより規定される軌跡上の位置にある。この係合状態は、２群鏡筒３７に一体的に設けられた固定フォロア部３７ａ，３７ｂも同様である。すなわち、固定フォロア部３７ａは、カム溝３ｄと係合している状態にあり、固定フォロア部３７ｂはカム溝３ｅとの係合が解除された状態にある。
【００２１】
沈胴状態からレンズ鏡筒が駆動されるとき、２群鏡筒３７は、カム溝３ｄに沿って駆動されることになる。具体的には、沈胴状態においてシステムの電源が投入されると、ズームモータ２５に電流が流れ、ギア２２が時計方向（ＣＷ）に回転する。ギア２２の回転に伴いこれと噛み合うギア歯３ａを介して移動カム環３が、図５に対して反時計方向（ＣＣＷ）、図２に対しては左方向へ回転を開始し、撮影光学系の初期位置であるワイド位置に対応する位置に到達すると、ズームモータ２５は停止され、移動カム環３は上記ワイド位置に対応する位置に停止される（図２（ｂ））。このとき、可動カムフォロア８ｂは、まだカム溝３ｅから外れた状態にある。そして、図４（ａ）に示すように、カム溝３ｅから外れた可動カムフォロア８ｂは、圧縮バネ９により付勢されているので、カム溝３ｄに係合している可動カムフォロア８ａより僅かに突出した状態にある。しかし、可動カムフォロア８ａがカム溝３ｄに係合しているために、２群鏡筒３７にはカム筒３に対して片寄せ力が働き、いかなる姿勢においても移動カム環３に対して光軸の位置が変化しない状態を保つことができる。その結果、光学性能を保証することができるレンズ鏡筒が実現される。
【００２２】
次に、撮影者がズームボタン（図示せず）を操作して撮影光学系をワイド側からテレ側へ変倍動作させる場合について説明する。
【００２３】
撮影光学系をワイド側からテレ側へ変倍動作させるように、ズームボタン（図示せず）が操作されると、ズームモータ２５によりギア２２が時計方向（ＣＷ）に回転駆動され、移動カム環３がワイド位置に対応する位置から反時計方向（ＣＣＷ）に回転を開始する。そして、移動カム環３は回動しながら光軸方向へ被写体に向けて移動され、可動カムフォロア８ｂは仮想カム溝から移動カム環３のカム溝３ｅへ乗り移る。カム溝３ｅと係合する前の可動カムフォロア８ｂは、圧縮バネ９により付勢されているので、カム溝３ｄと係合している可動カムフォロア８ａより僅かに突出した状態にある。
【００２４】
本実施の形態においては、図３（ａ）および（ｂ）に示すように、飛び出した状態にある可動カムフォロア８ｂがカム溝３ｅに円滑に乗り移ることを可能にするために、カム溝３ｅの形成端部にスロープ部３ｆが設けられている。具体的には、図３（ｂ）に示すように、可動カムフォロア８ｂをカム溝３ｅにスムーズに係合するためにカム溝３ｅの端部から数ｍｍの範囲に亘ってテーパ状のスロープ部３ｆが設けられている。このスロープ部３ｆの入口は、可動カムフォロア８ｂがカム溝３ｅから飛び出した状態より深い状態から形成されている。これにより、可動カムフォロア８ｂは、レンズ鏡筒が駆動されるに従い、徐々にスロープ部３ｆに係合し、最終的に、可動カムフォロア８ｂは衝撃を受けることなく円滑にカム溝３ｅに導入されることになる。すなわち、図４（ｂ）に示すように、可動カムフォロア８ａがカム溝３ｄに係合していると同じように、可動カムフォロア８ｂがカム溝３ｅに係合することになる。このように２つの可動カムフォロア８ａ，８ｂがそれぞれ対応するカム溝３ｄ，３ｅに係合した状態においても、２群鏡筒３７は移動カム環３に対して片寄せ力が働き、いかなる姿勢においても光軸の変化が無い状態を保つことができる。
【００２５】
そして、レンズ鏡筒がテレ位置へと駆動されるが、このテレ位置の直前において、カム溝３ｄは溝３ｇを境にその一部がカム溝形状を形成していないものである。しかし、本実施の形態においては、カム溝３ｄは他端におけるカム溝３ｅの場合と異なり、カム溝が完全に消失していないので、可動カムフォロア８ａがカム溝３ｄから脱落する恐れがなく、カム溝３ｄの溝３ｇとの境界の近傍においては、スロープ部が設けられていない。これに対し、設計によっては、カム溝３ｄがテレ位置の直前の位置で完全に消失し、仮想カムを有するように構成される場合がある。このような場合は、カム溝３ｄの端部付近においてもスロープ部を設ける必要がある。
【００２６】
このようにして、この撮影光学系は撮影者がテレ位置（図２（ｃ））に到達する。この場合も、可動カムフォロア８ａ，８ｂがカム溝３ｄ，３ｅに係合しているために、２群鏡筒３７は移動カム環３に対して片寄せ力が働き、いかなる姿勢においても光軸の変化が無い状態を保つことができる。
【００２７】
次に、撮影者がズームボタンを操作してテレ側からワイド側への変倍を行う場合、ズームモータ２５が駆動され、ギア２２が反時計方向（ＣＣＷ）に回転する。これにより、移動カム環３が図６に対して時計方向（ＣＷ）に、図２に対して右方向に回転を開始する。このとき、２つの可動カムフォロア８ａ，８ｂは、それぞれカム溝３ｄ，３ｅと係合しているが、そのうちのカム溝３ｅと係合している可動カムフォロア８ｂは、カム溝３ｅの仮想カムへ進入してカム溝３ｅから離脱することになるが、離脱前においては、カム溝３ｅに設けられたスロープ部３ｆがあるため、可動カムフォロア８ｂが仮想カムへ進入する前にカム溝３ｅとの係合が完全に解除される。そして、さらに移動カム環３が時計方向へ回動することに伴い、可動カムフォロア８ｂは、仮想カムに入り、カム溝３ｅから仮想カムへ円滑に乗り移ることができる。
【００２８】
このように、本実施の形態によれば、高い光学性能を維持しながら、小型化が可能なレンズ鏡筒を提供することができる。
【００２９】
本実施の形態においては、可動カムフォロア８ｂとカム溝３ｅとが撮影領域であるワイド位置からテレ位置に渡って係合される例を示したが、撮影領域外において、可動カムフォロア８ｂとカム溝３ｅとが係合するようにしてもよい。撮影領域外として例えば沈胴領域で、可動フォロア８ｂとカム溝３ｅの係合が外れ、ワイドに至る途中において可動フォロア８ｂとカム溝３ｅとが係合する状態について説明する。この沈胴領域では撮影することがないので、光学性能を保証する必要はなく、２群鏡筒３７は可動フォロア８ａによる片寄せは必ずしも行う必要はない。従って、例えば可動フォロア８ａを固定フォロア３７ａに置き換えることが可能である。光学性能を保証する領域においては可動フォロア８ｂが実在するカム溝３ｅと係合しており、その可動フォロア８ｂの作用により、１群鏡筒と２群鏡筒との間の同軸度は、高精度に保たれているので、可動カムフォロアの数を１つとすることも可能である。
【００３０】
また、本実施の形態においては、可動カムフォロア８ａ，８ｂの先端部がテーパ状に形成されている場合を示したが、この形状に限定されることはなく、可動カムフォロア８ａ，８ｂの先端部の形状を球面としてもよい。また、図８に示すように、その可動カムフォロア８ａ，８ｂの先端部をテーパ部８０ａと球面部８０ｂとからなる複合形状の先端部とすることもできる。
【００３１】
（第２の実施の形態）
次に、本発明の第２の実施の形態について図９を参照しながら説明する。図９は本発明の第２の実施の形態に係るレンズ鏡筒における可動カムフォルムの主要部構成を示す図である。ここで、本実施の形態においては、上記第１の実施の形態と同じ機能を有する部材には同一の符号が付され、その説明および動作の説明は省略する。
【００３２】
本実施の形態においては、図９に示すように、２つの可動カムフォロア８ａ，８ｂをＥリング１１により保持するための連結部材１０が設けられている。連結部材１０は、圧縮バネ９により、光軸と直交する方向へ２群鏡筒３７から移動カム環３に向けて付勢されている。これにより、２つの可動カムフォロア８ａ，８ｂは、圧縮バネ９により、移動カム環３のカム溝３ｄ，３ｅに対して付勢されながら係合される。
【００３３】
ここで、撮影光学系がワイド位置に直前の位置にあるとき、図９（ａ）に示すように、可動カムフォロア８ａは移動カム環３のカム溝３ｄと係合し、可動カムフォロア８ｂは移動カム環３のカム溝３ｅから離脱した状態にある。これは、上記第１の実施の形態と同様である。但し、可動カムフォロア８ａ，８ｂは、それぞれの２群鏡筒３７からの突出長さが同じになるように連結部材１０に保持されている。これにより、カム溝３ｅから離脱した可動カムフォロア８ｂは、上記第１の実施の形態のように可動カムフォロア８ａより突出した状態とはならず、カム溝３ｄに係合している可動カムフォロア８ａの突出長さと同じ長さで突出する状態に保持される。
【００３４】
撮影光学系がワイド位置に直前の位置から変倍動作により撮影領域内の位置に移動すると、図９（ｂ）に示すように、２つの可動カムフォロア８ａ，８ｂは２群鏡筒３７からの突出量が同じであるように連結部材１０に保持されているので、カム溝３ｅから離脱している可動カムフォロア８ｂはカム溝３ｅに円滑に導入され、可動カムフォロア８ｂとカム溝３ｅとは係合する。このとき、可動カムフォロア８ｂとカム溝３ｅとの係合をより円滑にするために、カム溝３ｅの端部から数ｍｍの領域に渡ってテーパ状のスロープ部３ｆを設けてもよい。また、スロープ部３ｆの溝深さは、可動カムフォロア８ｂが動き得る最大突出量より深く形成することが望ましい。
【００３５】
このように、２つの可動カムフォロア８ａ，８ｂが連動部材１０に保持され、連結部材１０が圧縮バネ９により付勢されることにより、２群鏡筒３７の調芯作用が実現され、いかなる姿勢においても光軸の変化が無い状態を保つことができる。
【図面の簡単な説明】
【００３６】
【図１】本発明の第１の実施の形態に係るレンズ鏡筒の分解斜視図である。
【図２】図１のレンズ鏡筒のカム構成を円周方向に展開して示す図であり、（ａ）は沈胴時、（ｂ）はワイド撮影時、（ｃ）はテレ撮影時のそれぞれを示す展開図である。
【図３】（ａ）は可動カムフォロア８ｂが移動カム環３のカム溝３ｅに乗り移る直前の状態を示す図、（ｂ）は図３（ａ）の断面Ａ−Ａに沿って得られた断面図である。
【図４】（ａ）は可動カムフォロア８ａが移動カム環３のカム溝３ｄと係合し、可動カムフォロア８ｂと移動カム環３のカム溝３ｅとの係合が解除されている状態を示す断面図、（ｂ）は可動カムフォロア８ａが移動カム環３のカム溝３ｄと、可動カムフォロア８ｂがカム溝３ｅとそれぞれ係合している状態を示す断面図である。
【図５】図１のレンズ鏡筒における移動カム環とそれの駆動機構を示す図である。
【図６】図５のウォームギア２７に設けられているズームモータの回転数および回転方向を検知するための機構を示す図である。
【図７】図６のフォトインタラプタのそれぞれから出力される信号波形を示す図である。
【図８】図４に示す可動カムフォロアに代わる可動カムフォロアを示す断面図である。
【図９】本発明の第２の実施の形態に係るレンズ鏡筒における可動カムフォルムの主要部構成を示す図である。
【図１０】従来のレンズ鏡筒における２群鏡筒のカムフォロアと移動カム環のカム溝と係合した状態を示す断面図である。
【符号の説明】
【００３７】
３  移動カム環
４  直進筒
８ａ，８ｂ  可動カムフォロア
９  圧縮バネ
１０  連結部材
３７  ２群鏡筒
【図１】
2006178304.tif 000003
【図２】
2006178304.tif 000004
【図３】
2006178304.tif 000005
【図４】
2006178304.tif 000006
【図５】
2006178304.tif 000007
【図６】
2006178304.tif 000008
【図７】
2006178304.tif 000009
【図８】
2006178304.tif 000010
【図９】
2006178304.tif 000011
【図１０】
2006178304.tif 000012